(57)【特許請求の範囲】
【請求項１】
チャネル状態情報基準信号（CSI-RS）シーケンスの生成及びマッピング方法であって、
擬似ランダムシーケンスの初期値によって、擬似ランダムシーケンスを生成し、前記擬似ランダムシーケンスに 四位相偏移変調（QPSK）変調を行い、システムの最大帯域幅によって、第1のCSI-RSシーケンスを取得すること、及び
システムの実際の帯域幅によって、前記第1のCSI-RSシーケンスを切り取って、第2のCSI-RSシーケンスを取得し、前記第2のCSI-RSシーケンスをCSI-RSアンテナポートの時間周波数位置にマッピングすることを含み、
前記方法は直交周波数分割多重（OFDM）符号或いはサブフレームに基づいて前記第1のCSI-RSシーケンスを取得し、第1のCSI-RSシーケンスを切り取って第2のCSI-RSシーケンスを取得し、及び前記第2のCSI-RSシーケンスをマッピングし、
前記第2のCSI-RSシーケンスをCSI-RSアンテナポートの時間周波数位置にマッピングするステップにおいて、
OFDM符号に基づいて前記第2のCSI-RSシーケンスをマッピングする際に、同一の符号分割多重（CDM）組に位置する2つのOFDM符号にはマッピングする第2のCSI-RSシーケンスは異なる第1のCSI-RSシーケンスによって生成したものであり、
サブフレームに基づいて前記第2のCSI-RSシーケンスをマッピングする際に、同一のCDM組に位置する2つのOFDM符号にはマッピングする第2のCSI-RSシーケンスは同様な第1のCSI-RSシーケンスの異なる部分によって生成したものであり、
前記方法はOFDM符号に基づいて第1のCSI-RSシーケンスを取得し、第1のCSI-RSシーケンスを切り取って第2のCSI-RSシーケンスを取得し、及び第2のCSI-RSシーケンスをマッピングし、
擬似ランダムシーケンスの初期値によって、擬似ランダムシーケンスを生成し、前記擬似ランダムシーケンスにQPSK変調を行い、第1のCSI-RSシーケンスを取得するステップにおいて、
【数１】
0005426777.tif 000044
【数２】
0005426777.tif 000045
チャネル状態情報基準信号（CSI-RS）シーケンスの生成及びマッピング方法。
【請求項２】
前記方法はOFDM符号に基づいて前記第1のCSI-RSシーケンスを取得し、第1のCSI-RSシーケンスを切り取って第2のCSI-RSシーケンスを取得し、及び前記第2のCSI-RSシーケンスをマッピングし、
該方法は、さらに、タイムスロットインデックスによって、1つのタイムスロットにおけるOFDM符号インデックス及びセルIDによって、擬似ランダムシーケンスの初期値Ｃｉｎｉｔを取得すること、または、
CSI-RSアンテナポートの数の関連パラメーター、CSI-RSアンテナポートインデックスの関連パラメーター及びサイクリックプレフィックス（CP）長さ因子という3種類のパラメーターの中の1種或いは多種、及びタイムスロットインデックス、1つのタイムスロットにおけるOFDM符号インデックス及びセルIDによって、擬似ランダムシーケンスの初期値Ｃｉｎｉｔを取得することを含むことを特徴とする請求項１に記載の方法。
【請求項３】
前記擬似ランダムシーケンスの初期値Ｃｉｎｉｔは以下のような値の1つであり、
【数３】
0005426777.tif 000046
【数４】
0005426777.tif 000047
【数５】
0005426777.tif 000048
【数６】
0005426777.tif 000049
請求項２に記載の方法。
【請求項４】
前記方法はサブフレームに基づいて前記第1のCSI-RSシーケンスを取得し、第1のCSI-RSシーケンスを切り取って第2のCSI-RSシーケンスを取得し、及び前記第2のCSI-RSシーケンスをマッピングし、
前記方法はさらに、
タイムスロットインデックス及びセルIDによって、擬似ランダムシーケンスの初期値Ｃｉｎｉｔを取得すること、または、
CSI-RSアンテナポートの数の関連パラメーター、CSI-RSアンテナポートインデックスの関連パラメーター及びCP長さ因子という3種類のパラメーターの中の1種または多種、及びタイムスロットインデックス及びセルIDによって、擬似ランダムシーケンスの初期値Ｃｉｎｉｔを取得することを含むことを特徴とする請求項１に記載の方法。
【請求項５】
擬似ランダムシーケンスの初期値Ｃｉｎｉｔは以下のような値の1つであり、
【数７】
0005426777.tif 000050
【数８】
0005426777.tif 000051
【数９】
0005426777.tif 000052
請求項４に記載の方法。
【請求項６】
【数１０】
0005426777.tif 000053
請求項１に記載の方法。
【請求項７】
【数１１】
0005426777.tif 000054
請求項１に記載の方法。
【請求項８】
【数１２】
0005426777.tif 000055
請求項１に記載の方法。
【請求項９】
【数１３】
0005426777.tif 000056
請求項１に記載の方法。
【請求項１０】
前記方法は、サブフレームに基づいて前記第1のCSI-RSシーケンスを生成し、第1のCSI-RSシーケンスを切り取って第2のCSI-RSシーケンスを取得し、及び前記第2のCSI-RSシーケンスをマッピングし、
擬似ランダムシーケンスの初期値によって、擬似ランダムシーケンスを生成し、前記擬似ランダムシーケンスにQPSK変調を行う際に、第1のCSI-RSシーケンスを取得するステップにおいて、
【数１４】
0005426777.tif 000057
ことを特徴とする請求項１に記載の方法。
【請求項１１】
【数１５】
0005426777.tif 000058
請求項１０に記載の方法。
【請求項１２】
【数１６】
0005426777.tif 000059
ｋ’は第1のCSI-RSアンテナポートの周波数領域位置であり、ｌ’は第1のCSI-RSアンテナポートの開始時間領域の位置である請求項１１に記載の方法。
【請求項１３】
チャネル状態情報基準信号（CSI-RS）シーケンスの生成及びマッピング装置であって、生成ユニットとマッピングユニットを含み、
前記生成ユニットは、擬似ランダムシーケンスの初期値によって、擬似ランダムシーケンスを生成し、前記擬似ランダムシーケンスにQPSK変調を行い、システムの最大帯域幅によって、第1のCSI-RSシーケンスを取得するように設置され、
前記マッピングユニットは、システムの実際の帯域幅によって、前記第1のCSI-RSシーケンスを切り取って、第2のCSI-RSシーケンスを取得し、前記第2のCSI-RSシーケンスをCSI-RSアンテナポートの時間周波数位置にマッピングするように設置され、
前記生成ユニットは、直交周波数分割多重（OFDM）符号またはサブフレームに基づいて擬似ランダムシーケンスを生成して前記第1のCSI-RSシーケンスを取得するように設置され、
前記マッピングユニットは、以下のように前記第1のCSI-RSシーケンスを切り取って前記第2のCSI-RSシーケンスを取得し、前記第2のCSI-RSシーケンスをCSI-RSアンテナポートの時間周波数位置にマッピングするように設置され、
OFDM符号に基づいて前記第2のCSI-RSシーケンスをマッピングする際に、同一のCDM組に位置する2つのOFDM符号においてマッピングする第2のCSI-RSシーケンスが異なる第1のCSI-RSシーケンスによって生成したものであり、
サブフレームに基づいて前記第2のCSI-RSシーケンスをマッピングする際に、同一のCDM組に位置する2つのOFDM符号においてマッピングする第2のCSI-RSシーケンスが同様な第1のCSI-RSシーケンスの異なる部分よって生成したものであり、
前記生成ユニットは、OFDM符号に基づいて以下のように前記擬似ランダムシーケンスｃ（ｎ）を生成するように設置され、
【数１７】
0005426777.tif 000060
前記マッピングユニットは、OFDM符号に基づいて以下のように前記第2のCSI-RSシーケンスを取得、マッピングするように設置され、
【数１８】
0005426777.tif 000061
チャネル状態情報基準信号（CSI-RS）シーケンスの生成及びマッピング装置。
【請求項１４】
前記生成ユニットは、OFDM符号に基づいて擬似ランダムシーケンスを生成して前記第1のCSI-RSシーケンスを取得するように設置され、
前記生成ユニットは、タイムスロットインデックスによって、1つのタイムスロットにおけるOFDM符号インデックス及びセルIDによって、擬似ランダムシーケンスの初期値Ｃｉｎｉｔを取得すること、または、
CSI-RSアンテナポートの数の関連パラメーター、CSI-RSアンテナポートインデックスの関連パラメーター及びサイクリックプレフィックス（CP）長さ因子という3種類のパラメーターの中の1種或いは多種、及びタイムスロットインデックス、1つのタイムスロットにおけるOFDM符号インデックス及びセルIDによって、擬似ランダムシーケンスの初期値Ｃｉｎｉｔを取得するようにさらに設置される請求項１３に記載の装置。
【請求項１５】
前記擬似ランダムシーケンスの初期値Ｃｉｎｉｔは以下のような値の1つであり、
【数１９】
0005426777.tif 000062
【数２０】
0005426777.tif 000063
【数２１】
0005426777.tif 000064
【数２２】
0005426777.tif 000065
請求項１４に記載の装置。
【請求項１６】
【数２３】
0005426777.tif 000066
請求項１３に記載の装置。
【請求項１７】
進化した基地局（eNB）であって、チャネル状態情報基準信号（CSI-RS）シーケンスの生成及びマッピング装置を含み、前記装置は請求項１３ないし１６いずれか1つに記載の生成ユニットとマッピングユニットを含み、
前記生成ユニットは、擬似ランダムシーケンスの初期値によって、擬似ランダムシーケンスを生成し、前記擬似ランダムシーケンスにQPSK変調を行い、システムの最大帯域幅によって、第1のCSI-RSシーケンスを取得するように設置され、
前記マッピングユニットは、システムの実際の帯域幅によって、前記第1のCSI-RSシーケンスを切り取って、第2のCSI-RSシーケンスを取得し、前記第2のCSI-RSシーケンスをCSI-RSアンテナポートの時間周波数位置にマッピングするように設置される。
【請求項１８】
ユーザー設備（UE）であって、生成ユニット、マッピング知りユニット、受信ユニット及び測定ユニットを含み、
前記生成ユニットは、擬似ランダムシーケンスの初期値によって、擬似ランダムシーケンスを生成し、前記擬似ランダムシーケンスにQPSK変調を行い、システムの最大帯域幅によって、第1のチャネル状態情報基準信号（CSI-RS）シーケンスを取得するように設置され、
前記マッピング知りユニットは、システムの実際の帯域幅によって、前記第1のCSI-RSシーケンスを切り取って、CSI-RSアンテナポートの時間周波数位置にマッピングするための第2のCSI-RSシーケンスを取得するように設置され、
前記受信ユニットは、CSI-RSアンテナポートの時間周波数位置に進化した基地局（eNB）が送信したCSI-RSシーケンスを受信するように設置され、
前記測定ユニットは、受信ユニットが受信したCSI-RSシーケンス及びマッピング知りユニットが得られた第2のCSI-RSシーケンスを演算し、チャネル推定とチャネル測定を行うように設置され、
前記生成ユニットは、直交周波数分割多重（OFDM）符号またはサブフレームに基づいて擬似ランダムシーケンスを生成して前記第1のCSI-RSシーケンスを取得するように設置され、
前記マッピング知りユニットは、以下のように前記CSI-RSアンテナポートの時間周波数位置にマッピングするための第2のCSI-RSシーケンスを取得するように設置され、つまり、
OFDM符号に基づいて前記第2のCSI-RSシーケンスを取得する際に、同一のCDM組に位置する2つのOFDM符号においてマッピングする第2のCSI-RSシーケンスが異なる第1のCSI-RSシーケンスによって生成し、
サブフレームに基づいて前記第2のCSI-RSシーケンスを取得する際に、同一のCDM組に位置する2つのOFDM符号においてマッピングする第2のCSI-RSシーケンスが同様な第1のCSI-RSシーケンスの異なる部分よって生成し、
前記生成ユニットは、OFDM符号に基づいて以下のように前記擬似ランダムシーケンスｃ（ｎ）を生成するように設置され、
【数２４】
0005426777.tif 000067
前記マッピング知りユニットは、OFDM符号に基づいて以下のように前記第2のCSI-RSシーケンスを取得するように設置され、
【数２５】
0005426777.tif 000068
ユーザー設備（UE）。
【請求項１９】
前記生成ユニットは、OFDM符号に基づいて擬似ランダムシーケンスを生成して前記第1のCSI-RSシーケンスを取得するように設置され、
前記生成ユニットは、タイムスロットインデックスによって、1つのタイムスロットにおけるOFDM符号インデックス及びセルIDによって、擬似ランダムシーケンスの初期値Ｃｉｎｉｔを取得する、または、
CSI-RSアンテナポートの数の関連パラメーター、CSI-RSアンテナポートインデックスの関連パラメーター及びサイクリックプレフィックス（CP）長さ因子という3種類のパラメーターの中の1種或いは多種、及びタイムスロットインデックス、1つのタイムスロットにおけるOFDM符号インデックス及びセルIDによって、擬似ランダムシーケンスの初期値Ｃｉｎｉｔを取得するようにさらに設置される請求項１８に記載のユーザー設備。
【請求項２０】
前記擬似ランダムシーケンスの初期値Ｃｉｎｉｔは以下のような値の1つであり、
【数２６】
0005426777.tif 000069
【数２７】
0005426777.tif 000070
【数２８】
0005426777.tif 000071
【数２９】
0005426777.tif 000072
請求項１９に記載のユーザー設備。
【請求項２１】
【数３０】
0005426777.tif 000073
請求項１８に記載のユーザー設備。
【発明の詳細な説明】
【技術分野】
【０００１】
本発明はLTE-A（Long term evolution advanced、高級ロングタームエボリューション）システムに関し、特にLTE-AシステムにおいてCSI-RS（チャネル状態情報基準信号）シーケンスの生成及びマッピング方法、並びに装置に関する。
【背景技術】
【０００２】
LTE（Long term evolution、ロングタームエボリューション）R10（バージョン10）において、さらにセルの平均なスペクトル利用効率、セルのエッジスペクトル利用効率及び各のUE（User Equipment、ユーザー設備）のスループットを向上させるために、それぞれ2種類の基準信号（パイロットとも言われる）：CSI-RS（チャネル状態情報基準信号）とDMRS（復調基準信号）を定義し、その中、CSI-RSはチャネルの測定に用いられ、CSI-RSの測定によってUEがeNB（evolved Node B、進化した基地局）にフィードバックする必要なPMI（Precoding Matrix Indicator、プリコーディング行列インデックス）、CQI（Channel Quality Indicator、チャネル品質情報指示）及びRI（Rank Indicator、ランク指示）を算出することができる。3GPP LTE-A RAN1 61bis会議は以前CSI-RSが時間領域及び周波数領域での分布がともにまばらであることを定義したが、且つ1つのRB（Resource Block、リソースブロック）内にサービスセルにおけるアンテナポートごとにCSI-RSずつのパイロット密度のみを含むことを保証し、時間領域に5msの倍数でCSI-RSの周期とする。3GPP LTE-A RAN1 61bis会議ではそれぞれFDD（周波数分割多重）システム及びTDD（時分割多重）システムにNormal CP（Normal Cyclic Prefix、通常のサイクリックプレフィックス）及びExtended CP（Extended Cyclic Prefix、拡張されたサイクリックプレフィックス）での図面（図1〜図8を参照する）を定義したが、そのうちの1つのCSI-RSアンテナポートはCDM（Code Division Multiple、符号分割多重）の方式によって他の1つのCSI-RSアンテナポートと多重し、時間領域で2つのOFDM（Orthogonal Frequency Division Multiplexing、直交周波数分割多重）符号を占用し、周波数領域における1つのRBに1つのCSI-RSアンテナポートのRE（Resource Element、リソースエレメント）を含む。
【０００３】
しかしながら、いかにCSI-RSシーケンスを生成及びマッピングするか、従来の技術には関することがない。
【発明の概要】
【発明が解決しようとする課題】
【０００４】
本発明はチャネル状態情報基準信号がLTE-A技術には適用する要求を満たすように、チャネル状態情報基準信号シーケンスの生成及びマッピング方法、並びに装置を提供する目的とする。
【課題を解決するための手段】
【０００５】
上記問題を解決するために、本発明はチャネル状態情報基準信号（CSI-RS）シーケンスの生成及びマッピング方法を提供し、
擬似ランダムシーケンスの初期値によって、擬似ランダムシーケンスを生成し、前記擬似ランダムシーケンスに 四位相偏移変調（QPSK）変調を行い、システムの最大帯域幅によって、第1のCSI-RSシーケンスを取得すること、及び
システムの実際の帯域幅によって、前記第1のCSI-RSシーケンスを切り取って、第2のCSI-RSシーケンスを取得し、前記第2のCSI-RSシーケンスをCSI-RSアンテナポートの時間周波数位置にマッピングすることを含む。
【０００６】
前記方法は、直交周波数分割多重（OFDM）符号或いはサブフレームに基づいて第1のCSI-RSシーケンスを生成すること、第1のCSI-RSシーケンスを切り取って第2のCSI-RSシーケンスを取得すること、及び第2のCSI-RSシーケンスをマッピングすることを含むことができ、その中、
OFDM符号に基づいて第2のCSI-RSシーケンスをマッピングする際に、同一の符号分割多重（CDM）組に位置する2つのOFDM符号にはマッピングする第2のCSI-RSシーケンスは異なる第1のCSI-RSシーケンスによって生成したものであり、
サブフレームに基づいて第2のCSI-RSシーケンスをマッピングする際に、同一のCDM組に位置する2つのOFDM符号にはマッピングする第2のCSI-RSシーケンスは同様な第1のCSI-RSシーケンスの異なる部分によって生成したものである。
【０００７】
前記方法はOFDM符号に基づいて第1のCSI-RSシーケンスを生成すること、第1のCSI-RSシーケンスを切り取って第2のCSI-RSシーケンスを取得すること、及び第2のCSI-RSシーケンスをマッピングすることを含むことができ、該方法は、さらに、タイムスロットインデックス、1つのタイムスロットにおけるOFDM符号インデックス及びセル識別子（ID）によって、擬似ランダムシーケンスの初期値を取得すること、または、
CSI-RSアンテナポート数の関連パラメーター、CSI-RSアンテナポートインデックスの関連パラメーター及びCP長さ因子という3種類のパラメーターの中の1種或いは多種、及びタイムスロットインデックス、1つのタイムスロットにおけるOFDM符号インデックス及びセルIDによって、擬似ランダムシーケンスの初期値を取得することを含む。
【０００８】
【数１】
0005426777.tif 000002
【数２】
0005426777.tif 000003
【数３】
0005426777.tif 000004
【数４】
0005426777.tif 000005
【０００９】
該方法は、サブフレームに基づいて第1のCSI-RSシーケンスを生成すること、第1のCSI-RSシーケンスを切り取って第2のCSI-RSシーケンスを取得すること、及び第2のCSI-RSシーケンスをマッピングすることを含むことができ、 該方法は、さらに、
タイムスロットインデックス及びセルIDによって、擬似ランダムシーケンスの初期値を取得すること、または、
CSI-RSアンテナポートの数の関連パラメーター、CSI-RSアンテナポートインデックスの関連パラメーター及びCP長さ因子という3種類のパラメーターの中の1種または多種、及びタイムスロットインデックス及びセルIDによって、擬似ランダムシーケンスの初期値を取得することを含む。
【００１０】
【数５】
0005426777.tif 000006
【数６】
0005426777.tif 000007
【数７】
0005426777.tif 000008
【００１１】
該方法はOFDM符号に基づいて第1のCSI-RSシーケンスを生成すること、第1のCSI-RSシーケンスを切り取って第2のCSI-RSシーケンスを取得すること、及び第2のCSI-RSシーケンスをマッピングすることを含むことができ、その中、
擬似ランダムシーケンスの初期値によって、擬似ランダムシーケンスを生成し、前記擬似ランダムシーケンスにQPSK変調を行い、第1のCSI-RSシーケンスを取得するステップにおいて、
【数８】
0005426777.tif 000009
【００１２】
【数９】
0005426777.tif 000010
【００１３】
【数１０】
0005426777.tif 000011
【００１４】
【数１１】
0005426777.tif 000012
【００１５】
【数１２】
0005426777.tif 000013
【００１６】
【数１３】
0005426777.tif 000014
【００１７】
前記方法は、サブフレームに基づいて第1のCSI-RSシーケンスを生成すること、第1のCSI-RSシーケンスを切り取って第2のCSI-RSシーケンスを取得すること、及び第2のCSI-RSシーケンスをマッピングすることを含むことができ、擬似ランダムシーケンスの初期値によって、擬似ランダムシーケンスを生成し、前記擬似ランダムシーケンスにQPSK変調を行う際に、第1のCSI-RSシーケンス取得するステップにおいて、
【数１４】
0005426777.tif 000015
【００１８】
【数１５】
0005426777.tif 000016
【００１９】
【数１６】
0005426777.tif 000017
【００２０】
上記問題を解決するために、本発明はさらにCSI-RSシーケンスの生成及びマッピング装置を提供し、生成ユニットとマッピングユニットを含み、その中、
前記生成ユニットは、擬似ランダムシーケンスの初期値によって、擬似ランダムシーケンスを生成し、前記擬似ランダムシーケンスにQPSK変調を行い、システムの最大帯域幅によって、第1のCSI-RSシーケンスを取得するように設置され、
前記マッピングユニットは、システムの実際の帯域幅によって、前記第1のCSI-RSシーケンスを切り取って、第2のCSI-RSシーケンスを取得し、前記第2のCSI-RSシーケンスをCSI-RSアンテナポートの時間周波数位置にマッピングするように設置される。
【００２１】
前記生成ユニットは、OFDM符号またはサブフレームに基づいて前記擬似ランダムシーケンスを生成して前記第1のCSI-RSシーケンスを取得するように設置されることができ、
前記マッピングユニットは、以下のように第1のCSI-RSシーケンスを切り取って第2のCSI-RSシーケンスを取得し、前記第2のCSI-RSシーケンスをCSI-RSアンテナポートの時間周波数位置にマッピングするように設置されることができ：
OFDM符号に基づいて第2のCSI-RSシーケンスにマッピングする際に、同一のCDM組に位置する2つのOFDM符号においてマッピングする第2のCSI-RSシーケンスが異なる第1のCSI-RSシーケンスによって生成したものであり、
サブフレームに基づいて第2のCSI-RSシーケンスをマッピングする際に、同一のCDM組に位置する2つのOFDM符号においてマッピングする第2のCSI-RSシーケンスが同様な第1のCSI-RSシーケンスの異なる部分よって生成したものである。
【００２２】
上記問題を解決するために、本発明は、さらに進化した基地局（eNB）を提供し、CSI-RSシーケンスの生成マッピング装置を含み、前記装置は生成ユニットとマッピングユニットを含み、その中、
前記生成ユニットは、擬似ランダムシーケンスの初期値によって、擬似ランダムシーケンスを生成し、前記擬似ランダムシーケンスにQPSK変調を行い、システムの最大帯域幅によって、第1のCSI-RSシーケンスを取得するように設置され、
前記マッピングユニットは、システムの実際の帯域幅によって、前記第1のCSI-RSシーケンスを切り取って、第2のCSI-RSシーケンスを取得し、前記第2のCSI-RSシーケンスをCSI-RSアンテナポートの時間周波数位置にマッピングするように設置される。
【００２３】
上記問題を解決するために、本発明はユーザー設備（UE）を提供し、生成ユニット、マッピング知りユニット、受信ユニット及び測定ユニットを含み、その中、
前記生成ユニットは、擬似ランダムシーケンスの初期値によって、擬似ランダムシーケンスを生成し、前記擬似ランダムシーケンスにQPSK変調を行い、システムの最大帯域幅によって、第1のCSI-RSシーケンスを取得するように設置され、
前記マッピング知りユニットは、システムの実際の帯域幅によって、前記第1のCSI-RSシーケンスを切り取って、CSI-RSアンテナポートの時間周波数位置にマッピングするための第2のCSI-RSシーケンスを取得するように設置され、
前記受信ユニットは、CSI-RSアンテナポートの時間周波数位置に進化した基地局（eNB）が送信したCSI-RSシーケンスを受信するように設置され、
前記測定ユニットは、受信ユニットが受信したCSI-RSシーケンス及びマッピング知りユニットが得られた第2のCSI-RSシーケンスを演算し、チャネル推定とチャネル測定を行うように設置される。
【発明の効果】
【００２４】
本発明によって、、UE端とeNB端に既知のパラメーターによって、所定の参考シーケンス生成方法及びマッピング方法に従ってそれぞれCSI-RS基準信号シーケンスを生成または取得することによってUE端で算出したCSI-RSシーケンスを用いてチャネルの測定を行うことができる。
【図面の簡単な説明】
【００２５】
【図１】はOFDM 符号に基づいてCSI-RSシーケンス方式FDD Normal CPを選択する際のシーケンス分布方式である。
【図２】はOFDM 符号に基づいてCSI-RSシーケンス方式TDD Only Normal CPを選択する際のシーケンス分布方式である。
【図３】はOFDM 符号に基づいてCSI-RSシーケンス方式FDD Extended CPを選択する際のシーケンス分布方式である。
【図４】はOFDM 符号に基づいてCSI-RSシーケンス方式TDD Only Extended CPを選択する際のシーケンス分布方式である。
【図５】はサブフレームに基づいてCSI-RSシーケンス方式FDD Normal CPを選択する際のシーケンス分布方式である。
【図６】はサブフレームに基づいてCSI-RSシーケンス方式TDD Only Normal CPを選択する際のシーケンス分布方式である。
【図７】はサブフレームに基づいてCSI-RSシーケンス方式FDD Extended CPを選択する際のシーケンス分布方式である。
【図８】はサブフレームに基づいてCSI-RSシーケンス方式TDD Only Extended CPを選択する際のシーケンス分布方式である。
【図９】は本発明の実施例におけるCSI-RSシーケンスの生成及びマッピング方法のフローチャートである。
【発明を実施するための形態】
【００２６】
以下に、図面及び具体的な実施例を参照して本発明について詳細に説明する。
【００２７】
図9に示すように、本発明の実施例におけるCSI-RSシーケンスの生成及びマッピング方法フローチャートであり、
ステップ901、擬似ランダムシーケンスの初期値によって、擬似ランダムシーケンスを生成し、上記擬似ランダムシーケンスにQPSK（Quadrature Phase-Shift Keying、 四位相偏移変調）変調を行い、システムの最大帯域幅によって、第1のCSI-RSシーケンスを取得し、その中、システムの最大帯域幅が 110個のRBであり、
ステップ902、システムの実際の帯域幅によって、上記第1のCSI-RSシーケンスを切り取って、第2のCSI-RSシーケンスを取得し、上記第2のCSI-RSシーケンスをCSI-RSアンテナポートの時間周波数位置にマッピングする。
【００２８】
具体的に、eNBは上記ステップによって、第2のCSI-RSシーケンスをUEに送信し、
UEも上記ステップによって、各のCSI-RSアンテナポートの第2のCSI-RSシーケンスを知って、該第2のCSI-RSシーケンス及びeNBから受信したCSI-RSシーケンスを関連演算し、チャネル推定とチャネル測定を行う。
【００２９】
該方法において、OFDM符号またはサブフレームに基づいてCSI-RSシーケンスを生成してマッピングすることができ、
OFDM符号に基づいてCSI-RSシーケンスを生成してマッピングする際に、同一のCDM組に位置する2つのOFDM符号においてマッピングする第2のCSI-RSシーケンスは異なる第1のCSI-RSシーケンスによって生成したものであり、
サブフレームに基づいてCSI-RSシーケンスを生成してマッピングする際に、同一のCDM組に位置する2つのOFDM符号においてマッピングする第2のCSI-RSシーケンスが同様な第1のCSI-RSシーケンスの異なる部分によって生成したものである。
【００３０】
以下に、それぞれOFDM符号とサブフレームに基づく実施例を詳細に説明する。
【実施例１】
【００３１】
OFDM符号に基づいてCSI-RSシーケンスを生成してマッピングする
本実施例において、以下のようなステップに従ってCSI-RSシーケンスを生成してマッピングし、マッピングしたCSI-RSシーケンスは図1〜4に示す。
【００３２】
【数１７】
0005426777.tif 000018
【００３３】
その中、擬似ランダムシーケンス（Pseudo-Random Sequence）はスクランブリングコード或いはスクランブリングコードシーケンスとも言われ、擬似ランダムシーケンスの初期値はスクランブリングコードの初期値とも言われる。
【００３４】
ステップ1において、
十分にマルチセルの間の干渉をランダム化するために、1つの適用例示において、スクランブリングコードの初期値の計算は下記式の中のいずれかを採用し、
【数１８】
0005426777.tif 000019
【００３５】
CSI-RSを用いてCPの長さをチェックすることを考えると、このような初期値の計算に必要なパラメーターはタイムスロットインデックス、1つのタイムスロット内のOFDM符号インデックス、セルID及びCP長さ因子であってもよい。1つの適用例示において、スクランブリングコードの初期値の計算は下記式の中のいずれかを採用し、
【数１９】
0005426777.tif 000020
【００３６】
さらに、同一のセルの隣接の2つのサブキャリアに位置するCSI-RSアンテナポートの干渉をランダム化させるため、このような初期値の計算に必要なパラメーターはタイムスロットインデックス、1つのタイムスロットにおけるOFDM符号インデックス、セルID及びアンテナポートインデックスの関連パラメーターであってもよい。1つの適用例示において、スクランブリングコードの初期値の計算は下記式の中のいずれかを採用し、
【数２０】
0005426777.tif 000021
【００３７】
さらに、同一のセルの隣接の2つのサブキャリアに位置するCSI-RSアンテナポートの干渉をランダム化させるため、且つCPの長さをチェックすることを考える。このような初期値の計算に必要なパラメーターはタイムスロットインデックス、1つのタイムスロット内のOFDM符号インデックス、セルID、アンテナポートインデックスの関連パラメーター及びCP長さ因子であってもよい。1つの適用例示において、スクランブリングコードの初期値の計算は下記式の中のいずれかを採用し、
【数２１】
0005426777.tif 000022
【００３８】
さらに、セルのCSI-RSアンテナポートの数をブラインドテストして測定でき、このような初期値の計算に必要なパラメーターがタイムスロットインデックス、1つのタイムスロット内のOFDM符号インデックス、セルID、CSI-RSアンテナポートの数の関連パラメーターであってもよい。1つの適用例示において、スクランブリングコードの初期値の計算は下記式の中のいずれかを採用し、
【数２２】
0005426777.tif 000023
【００３９】
さらに、セルのCSI-RSアンテナポートの数をブラインドテストして測定でき、且つCPの長さをチェックでき、このような初期値の計算に必要なパラメーターはタイムスロットインデックス、1つのタイムスロット内のOFDM符号インデックス、セルID、CSI-RSアンテナポートの数の関連パラメーター及びCP長さ因子であってもよい。1つの適用例示において、スクランブリングコードの初期値の計算は下記式の中のいずれかを採用し、
【数２３】
0005426777.tif 000024
【００４０】
さらに、同一のセルの隣接の2つのサブキャリアに位置するCSI-RSアンテナポートの干渉をランダム化させるため、且つセルのCSI-RSアンテナポートの数をブラインドテストして測定できることを考え、このような初期値の計算に必要なパラメーターはタイムスロットインデックス、1つのタイムスロット内のOFDM符号インデックス、セルID、CSI-RSアンテナポートの数の関連パラメーター、CSI-RSアンテナポートインデックス関連パラメーター及びCP長さ因子であってもよい。1つの適用例示において、スクランブリングコードの初期値の計算は下記式の中のいずれかを採用し、
【数２４】
0005426777.tif 000025
【００４１】
さらに、同一のセルの隣接の2つのサブキャリアに位置するCSI-RSアンテナポートの干渉をランダム化させるため、且つセルのCSI-RSアンテナポートの数をブラインドテストして測定できることを考え、且つCPの長さを検出する必要があって、このような初期値の計算に必要なパラメーターはタイムスロットインデックス、1つのタイムスロット内のOFDM符号インデックス、セルID、CSI-RSアンテナポートの数の関連パラメーター、CSI-RSアンテナポートインデックス関連パラメーター及びCP長さ因子であってもよい。1つの適用例示において、スクランブリングコードの初期値の計算は下記式の中のいずれかを採用し、
【数２５】
0005426777.tif 000026
【００４２】
【数２６】
0005426777.tif 000027
【００４３】
【数２７】
0005426777.tif 000028
【００４４】
【数２８】
0005426777.tif 000029
【００４５】
【数２９】
0005426777.tif 000030
【００４６】
【数３０】
0005426777.tif 000031
【００４７】
【数３１】
0005426777.tif 000032
【実施例２】
【００４８】
サブフレームに基づいてCSI-RSシーケンスを生成してマッピングする
本実施例において、以下のようなステップに従ってCSI-RSシーケンスを生成してマッピングし、マッピングしたCSI-RSシーケンスは図5〜8に示す。
【００４９】
【数３２】
0005426777.tif 000033
【００５０】
その中、擬似ランダムシーケンスはスクランブリングコード或いはスクランブリングコードシーケンスとも言われ、擬似ランダムシーケンスの初期値はスクランブリングコードの初期値とも言われる。
【００５１】
ステップ1において、十分にマルチセルの間の干渉をランダム化するために、初期値の計算に必要なパラメーターはタイムスロットインデックス、セルIDであってもよい。1つの適用例示において、スクランブリングコードの初期値の計算は下記式の中のいずれかを採用し、
【数３３】
0005426777.tif 000034
【００５２】
さらに、CPのチェックを行うことを考え、初期値の計算に必要なパラメーターはタイムスロットインデックス、セルID、CP長さ因子であってもよい。1つの適用例示において、スクランブリングコードの初期値の計算は下記式の中のいずれかを採用し、
【数３４】
0005426777.tif 000035
【００５３】
さらに、CSI-RSアンテナポート間の測定の干渉を減少させることを考えることができ、1つの適用例示において、スクランブリングコードの初期値の計算は下記式の中のいずれかを採用し、
【数３５】
0005426777.tif 000036
【００５４】
さらに、CSI-RSアンテナポート間の測定の干渉を減少させ、且つCPの長さをチェックすることを考えることができ、1つの適用例示において、スクランブリングコードの初期値の計算は下記式の中のいずれかを採用し、
【数３６】
0005426777.tif 000037
【００５５】
さらに、CSI-RSアンテナポートのチェックを行うことを考え、1つの適用例示において、スクランブリングコードの初期値の計算は下記式の中のいずれかを採用し、
【数３７】
0005426777.tif 000038
【００５６】
さらに、CSI-RSアンテナポートの間の測定の干渉を減少させること及びCSI-RSアンテナポートをチェックすることのみを考えると、CPチェックを考えない際に、1つの適用例示において、スクランブリングコードの初期値の計算は下記式の中のいずれかを採用し、
【数３８】
0005426777.tif 000039
【００５７】
さらに、同一のセルの隣接の2つのサブキャリアに位置するCSI-RSアンテナポートの干渉をランダム化させるため、且つセルのCSI-RSアンテナポートの数をブラインドテストして測定できることを考え、且つCPの長さを検出する必要があって、このような初期値の計算に必要なパラメーターはタイムスロットインデックス、セルID、CSI-RSアンテナポートの数の関連パラメーター、CSI-RSアンテナポートインデックスの関連パラメーター及びCP長さ因子であってもよい。1つの適用例示において、スクランブリングコードの初期値の計算は下記式の中のいずれかを採用し、
【数３９】
0005426777.tif 000040
【００５８】
【数４０】
0005426777.tif 000041
【００５９】
【数４１】
0005426777.tif 000042
【００６０】
【数４２】
0005426777.tif 000043
【００６１】
本発明実施例におけるCSI-RSシーケンスの生成マッピング装置は、生成ユニットとマッピングユニットを含み、
上記生成ユニットは、擬似ランダムシーケンスの初期値によって、擬似ランダムシーケンス、を生成し、上記擬似ランダムシーケンスにQPSK変調を行い、システムの最大帯域幅によって、第1のCSI-RSシーケンスを取得するように設置され、
上記マッピングユニットは、システムの実際の帯域幅によって、上記第1のCSI-RSシーケンスを切り取って、第2のCSI-RSシーケンスを取得し、上記第2のCSI-RSシーケンスをCSI-RSアンテナポートの時間周波数位置にマッピングするように設置される。
【００６２】
上記装置はOFDM符号或いはサブフレームに基づいてCSI-RSシーケンスを生成してマッピングし、即ち、
上記生成ユニットは、OFDM符号或いはサブフレームに基づいて上記擬似ランダムシーケンスを生成して上記第1のCSI-RSシーケンスを取得し、
上記マッピングユニットは以下のように上記第2のCSI-RSシーケンスをCSI-RSアンテナポートの時間周波数位置にマッピングし、
OFDM符号に基づいてCSI-RSシーケンスをマッピングする際に、同一のCDM組に位置する異なるOFDM符号においてマッピングする第2のCSI-RSシーケンスは異なる第1のCSI-RSシーケンスによって生成したものであり、
サブフレームに基づいてCSI-RSシーケンスをマッピングする際に、同一のCDM組に位置する異なるOFDM符号においてマッピングする第2のCSI-RSシーケンスが同様な第1のCSI-RSシーケンスの異なる部分によって生成したものである。
【００６３】
生成ユニットとマッピングユニットの具体的な実現は実施例1と実施例2における説明を参照することができ、ここで省略する。
【００６４】
本発明の実施例におけるeNBは、CSI-RSシーケンス生成マッピング装置を含み、上記装置は上記生成ユニットとマッピングユニットを含む。
【００６５】
本発明の実施例のUEは生成ユニット、マッピング知りユニット、受信ユニット及び測定ユニットを含み、
上記生成ユニットは、擬似ランダムシーケンスの初期値によって、擬似ランダムシーケンスを生成し、上記擬似ランダムシーケンスにQPSK変調を行い、システムの最大帯域幅によって、第1のCSI-RSシーケンスを取得するように設置され、
上記マッピング知りユニットは、システムの実際の帯域幅によって、上記第1のCSI-RSシーケンスを切り取って、CSI-RSアンテナポートの時間周波数位置にマッピングするための第2のCSI-RSシーケンスを取得するように設置され、
上記受信ユニットは、CSI-RSアンテナポートの時間周波数位置には進化した基地局（eNB）が送信したCSI-RSシーケンスを受信するように設置され、
上記測定ユニットは受信ユニットが受信したCSI-RSシーケンスとマッピング知りユニットが得られた第2のCSI-RSシーケンスを演算し、チャネル推定とチャネル測定を行う。
【００６６】
生成ユニットとマッピング知りユニットの具体的な実現は実施例1と実施例2における説明を参照することができ、ここで省略する。
【００６７】
本分野の普通な当業者にとっては、上記方法における全部或いは一部のステップはプログラムによって関連ハードウェアを指令して完成することができ、上記プログラムはコンピュータの読み取り可能な記憶媒体、例えば、読み取り専用メモリ、ディスク或いはCD等に記憶されることができることが分ることができる。選択的に、上記実施例における全部或いは一部のステップは、1つ或いは複数の集積回路を用いて実現することもできる。相応的に、上記実施例における各モジュール/ユニットはハードウェアの形式で実現でき、ソフトウェア機能モジュールの形式で実現しても良い。本発明はいずれかの特定形式のハードウェアとソフトウェアとの結合に限られない。
【００６８】
以上の説明は、本発明を限定するものではなく、本発明の実施例に過ぎなく、当業者にとっては、本発明に様々な変更や修正を加えることができる。本発明の精神と原則を逸脱することなく、いずれかの変更、等同切替、改善等はいずれも本発明の保護範囲に含まれる。
【産業上の利用可能性】
【００６９】
従来の技術に比べて、本発明はUE端とeNB端に既知のパラメーターによって、所定の参考シーケンスの生成方法とマッピング方法に従ってCSI-RS基準信号シーケンスをそれぞれ生成または取得することによって、UE端で算出したCSI-RSシーケンスを用いてチャネルの測定を行うことができる。
【図１】
0005426777.tif 000074
【図２】
0005426777.tif 000075
【図３】
0005426777.tif 000076
【図４】
0005426777.tif 000077
【図５】
0005426777.tif 000078
【図６】
0005426777.tif 000079
【図７】
0005426777.tif 000080
【図８】
0005426777.tif 000081
【図９】
0005426777.tif 000082